(57)【特許請求の範囲】
【請求項１】
モータと、動力のオン、オフを切り替える外部操作可能なトリガを有するスイッチと、該スイッチを設けたハンドルとを有し、前記スイッチは前記トリガが引かれた際にオンとなり、該トリガは自動的に初期位置に復帰可能である携帯用電動工具であって、
前記ハンドルに設けられ、スプリングにより前記ハンドル外方に突出する方向に付勢され、前記ハンドル外方に突出した初期位置と、推力によって前記スプリングの付勢力に抗して移動した移動位置とに切り替え可能で、前記トリガと反対の位置に設けられたレバーと、推力を与えて前記レバーを前記移動位置に移動させると前記レバーと連動して前記トリガをオン位置に掛止し、前記レバーへの推力が開放されると前記トリガの掛止を解除するロックボタンとを有することを特徴とする携帯用電動工具。
【発明の詳細な説明】
【０００１】
【産業上の利用分野】
本発明は、作業者が推力を負荷すると移動し、解放すると初期位置に復帰するレバーを設け、推力を負荷している間はスイッチがオン状態に保持可能となり、推力を解放するとスイッチのロックが解除するスイッチオンロック機構を備えた作業者自身が保持し作業を行う携帯用電動工具に関するものである。
【０００２】
【従来の技術】
従来のスイッチオンロック機構を備えた携帯用電動工具を図５を用いて説明する。
従来は、ハンドル２内にスイッチと一体であるオンロックボタン５を設け、トリガ３を引きスイッチをオン状態に切り替えてオンロックボタン５を押すとスイッチがロックされオン状態のまま保持し、再度トリガ３を引くとロックが解除されスイッチがオフ状態に切り替わるものであった。
また、ハンドル２を握ったとき不用意にスイッチが入らないよう、スイッチの位置は図５に示す矢印の推力をかける方向とは一致しないようにする必要があり、スイッチは作業性、安全性のうえからハンドル形状、推力負荷位置にかかわらず独立してオン、オフの切り替え操作ができる必要があった。
【０００３】
【発明が解決しようとする課題】
作業者自身が保持し、推力を負荷しながら作業する携帯用電動工具において、スイッチのオン、オフ動作は独立して操作可能でありながらオン状態で保持し、スイッチを握らずに作業する方が効率が良い。しかし、従来のオンロック機構では一度スイッチをオン状態で保持した場合、再度スイッチを握り直しオフ状態に切り替える操作をしなければオンロックの解除、動力の停止ができない。このため、オン状態を保持したままスイッチを握らず作業したときに不意に大きな反力が電動工具に加わると、即座にスイッチをオフにすることができず電動工具に損傷を与えてしまう欠点があった。
また上記のような状況でスイッチを切ろうとすると、作業者に反力が伝わり腕をひねられ、足場が悪い場合には振り落とされるなどの危険な状況が生じる場合があった。
上記欠点を避けるためオンロック機構が付いていない電動工具もあるが、この場合常時スイッチを握って作業する必要があるので作業者の疲労度が高くなり効率が悪くなるという欠点があった。
【０００４】
本発明の目的は、上記した欠点を解決し、作業中はオンロック状態を保持できながら、反力などが加わり作業を中断したときは即座にスイッチをオフできるスイッチオンロック機構を提供することである。
【０００５】
【課題を解決するための手段】
上記目的は、作業者が推力を負荷すると移動し、解放すると初期位置に復帰するレバーを設け、前記レバーが移動したときすなわち、作業中はスイッチをオンロック状態にでき、作業を中断しレバーが初期位置に復帰すると前記スイッチのオンロックが解除されスイッチがオフに切り替わる構成とすることで達成される。また、前記レバーの動作にかかわらずスイッチは独立して操作できる構成とすることで、スイッチ本体の操作性も確保される。
【０００６】
【作用】
上記のように構成されたスイッチのオンロック機構は、作業者が推力をかけているときスイッチをロックしてオン状態で保持でき、推力を解放するとロックが解除されスイッチをオフ状態に切り替えることができる。
【０００７】
【実施例】
本発明の第１実施例を図１、図２を用いて説明する。
電動工具の動力をオン、オフ切り替えるスイッチ１は、電動工具の外枠を構成するハンドル２内に設けられている。該スイッチ１はトリガ３をＡ方向に引けばオンの状態となり、トリガ３を放すと自動的に図１の初期位置に戻りオフの状態となる。
【０００８】
スイッチオンロック機構は、レバー４、ロックボタン５、第１スプリング６、第２スプリング７により構成され、レバー４はハンドル２にスイッチ１のトリガ３と反対の位置に設けられている。レバー４は推力をかけると前進し、推力を解放すると第１スプリング６により初期位置に復帰するよう設けられている。また、レバー４には長穴部８と接点部９が設けられている。
ロックボタン５はハンドル２に固定された回動支点１０を中心に回動可能に支持されている。ロックボタン５は、後端部が第２スプリング７により常に上向きに押圧されているので、前端部は下向きに力が加えられている。作業者が電動工具に推力をかけていない状態ではレバー４は初期位置にあり、レバー４の接点部９は回動支点１０の後方でロックボタン５と接しており、ロックボタン５は第２スプリング７により回動するのを止められている。作業者が作業開始のためハンドル２を握るとレバー４も握られるので、レバー４に推力がかかりレバー４は前進する。レバー４が前進すると、レバー４の接点部９はロックボタン５の回動支点１０の前方へ移動する。ロックボタン５の後端部は第２スプリング７により常に上向きに力が加えられているため、前端部は下向きに力が加えられている。ここで作業者がスイッチ１のトリガ３をＡ方向に引くと、図２に示すようにロックボタン５の前端部は後端部をレバー４の長穴８に入り込ませながらトリガ３の前に回り込み、トリガ３をロックしオン状態に保持する。作業中にレバー４から手が放れ推力を解放すると、レバー４は第１スプリング６により後退し初期位置に復帰する。このとき、レバー４は後退し回動支点１０の後方でロックボタン５の後端部を押し下げるので、ロックボタン５の先端部は押し上げられトリガ３との嵌合がはずれ、トリガ３は図１の初期位置に戻りスイッチ１はオフ状態に切り替わる。
また、前記レバー４を放さなくともロックボタン５の前端部を押し上げトリガ３を戻すことにより、作業者は任意にスイッチ１をオフ状態に切り替えることができる。
【０００９】
本発明スイッチオンロック機構の第２実施例を図３、図４を用いて説明する。ハンドル２内にスイッチ１が設けられており、スイッチ１の動作は第１実施例と同様の動作をする。スイッチオンロック機構は、レバー４、ロックボタン５、第１スプリング６、第２スプリング７により構成される。レバー４は、スイッチ１のトリガ３と反対向きに設けられ、ハンドル２内に固定された回動支点１０を中心に回動自在に設けられている。レバー４には第１スプリング６が設けられており、レバー４に負荷がかからないときはトリガ３の反対方向に回動するが、レバー４の先端部がハンドル２の第１突起部１１に突き当ることにより回動は止まっている。また、レバー４の先端部には第１切欠き部１２が設けられている。作業者が作業開始のためハンドル２を握るとレバー４も握られるので、レバー４に推力がかかり、回動支点１０を中心にしてトリガ３の方向に回動する。図４に示すように、レバー４の回動はハンドル２に設けられた第２突起部１３により止められる。ここで、スイッチ１のトリガ３を引いてスイッチ１をオン状態にし、さらにロックボタン５をＡ方向に押すと図４のように該ロックボタン５の先端の第２切欠き部１４とレバー４先端部の第１切欠き部１２が嵌合しスイッチ１はロックされオン状態で保持される。
また、作業中レバー４より手を放し推力が解放されると、レバー４は第１スプリング６により回動支点１０を中心にトリガ３の反対方向に回動する。このため、レバー４の先端部も回動するので第１切欠き部１２と第２切欠き部１４の嵌合がはずれオンロック状態は解除される。
また、レバー４を放さなくとも、ロックボタン５はスイッチ１のトリガ３と共に移動するので、作業者がトリガ３をさらにＡ方向に引くことによりロックボタン５の第２切欠き部１４もＡ方向に移動しレバー４の第１切欠き部１２との嵌合がはずれ、第２スプリング７の力によりロックボタン５は初期位置に復帰してトリガ３のオンロック状態は解除される。
【００１０】
【発明の効果】
本発明によれば、作業中はスイッチをロックしてオン状態で保持でき、推力を解放したときには即座にオンロック状態を解除しスイッチをオフ状態に切り替えることができるので、作業中はスイッチを握り続けなくとも良く、推力を効率良くかけることができ、不意の反力などに対しても安全に作業することができる。
【図面の簡単な説明】
【図１】本発明スイッチオンロック機構の第１実施例を示す断面側面図。
【図２】図１のロック状態を示す断面側面図。
【図３】本発明スイッチオンロック機構の第２実施例を示す断面側面図。
【図４】図３のロック状態を示す断面側面図。
【図５】従来技術になるオンロック機構付電動工具の一例を示す側面図。
【符号の説明】
１はスイッチ、２はハンドル、３はトリガ、４はレバー、５はロックボタン、６は第１スプリング、７は第２スプリング、８は長穴部、９は接点部、１０は回動支点、１１は第１突起部、１２は第１切欠き部、１３は第２突起部、１４は第２切欠き部である。
【図１】
0003572665.tif 000002
【図２】
0003572665.tif 000003
【図３】
0003572665.tif 000004
【図４】
0003572665.tif 000005
【図５】
0003572665.tif 000006